(57)【特許請求の範囲】
【請求項１】
無線リンク制御階層に無線リンク制御エンティティを有する無線通信システムの送信装置であって、
少なくとも１つのプロトコルデータ単位（ＰＤＵ）を形成するために、上位階層からアクセスポイント（ＡＰ）を介して受けたサービスデータ単位（ＳＤＵ）をセグメント化および／または連続化させるセグメント化および／または連続化モジュールと、
該少なくとも１つのＰＤＵの順序番号を表すシーケンスナンバー（ＳＮ）を含む少なくとも１つのヘッダを該セグメント化および／または連続化されたＳＤＵに付加して少なくとも１つのＰＤＵを形成する、ヘッダ付加モジュールと、
該少なくとも１つのヘッダが付加された該少なくとも１つのＰＤＵを格納するデータ格納モジュールと、
前記無線リンク制御エンティティの最終段階で、該データ格納モジュールから伝達された少なくとも１つのＰＤＵを暗号化して、複数の伝送チャネルのうちの少なくとも１つを介して下位階層に伝送する、暗号化モジュールと
を備える、送信装置。
【請求項２】
前記ＡＰはＵＭ−ＳＡＰであり、前記複数のチャネルのうちの少なくとも１つはＤＴＣＨ、ＤＣＣＨ、ＣＣＣＨ、ＳＨＣＣＨおよびＣＴＣＨのうち少なくとも１つであり、前記暗号化されたＰＤＵは、前記送信装置から少なくとも１つの下位階層を介して、受信側に対応する前記無線通信システムのＲＬＣエンティティに伝送される、請求項１に記載の送信装置。
【請求項３】
前記複数のチャネルのうちの少なくとも１つは論理チャネルである、請求項１に記載の送信装置。
【請求項４】
前記ヘッダ付加モジュールによって前記少なくとも１つのヘッダが付加された前記少なくとも１つのＰＤＵが再伝送のために格納されており、再伝送を制御するデータ再伝送制御モジュールをさらに備えた、請求項１に記載の送信装置。
【請求項５】
前記ヘッダ付加モジュールおよび前記データ再送信制御モジュールの出力信号のうちの１つを前記データ格納モジュールへ出力するマルチプレクサーをさらに備えた、請求項４に記載の送信装置。
【請求項６】
前記少なくとも１つのヘッダの少なくとも１つのフィールドを、前記データ格納モジュールから受けた前記少なくとも１つのＰＤＵにおいてセットし、かつ、該少なくとも１つのＰＤＵを前記暗号化モジュールに伝送する、ヘッダーフィールドセットモジュールをさらに備えた、請求項４に記載の送信装置。
【請求項７】
前記アクセスポイントはＡＭ−ＳＡＰであり、前記少なくとも１つの暗号化されたＰＤＵは受信側に対応する前記通信システムの無線リンク制御エンティティに伝送され、前記チャンネルの少なくとも１つは、ＤＴＣＨまたはＤＣＣＨのうちの少なくとも１つである、請求項４に記載の送信装置。
【請求項８】
前記暗号化モジュールは、前記暗号化を行う前に前記少なくとも１つのＰＤＵの前記少なくとも１つのヘッダ内のＤ／Ｃフィールドをチェックし、
該暗号化モジュールは、制御ＰＤＵを暗号化しないが、ピギーバック状態ＰＤＵを含むデータＰＤＵを該Ｄ／Ｃフィールドの値に従って暗号化する、請求項４に記載の送信装置。
【請求項９】
前記暗号化モジュールは前記少なくとも１つのＰＤＵをチェックし、その後、前記少なくとも１つのＰＤＵにパッディングが存在する場合、該少なくとも１つのＰＤＵ内のパッディングを少なくとも１つのピギーバック状態ＰＤＵに置換する、請求項４に記載の送信装置。
【請求項１０】
無線リンク制御階層に無線リンク制御エンティティを有する無線通信システムの受信装置であって、
前記無線リンク制御エンティティの最初段階で、該受信装置の下位階層から複数のチャネルのうちの少なくとも１つを介して受けた無線リンク制御階層の暗号化されたプロトコルデータ単位（ＰＤＵ）を復号化する復号化モジュールと、
該復号化されたＰＤＵを格納するデータ格納モジュールと、
該ＰＤＵから該ＰＤＵのシーケンスナンバー（ＳＮ）を含むヘッダを除去するヘッダ除去モジュールと、
該ヘッダ除去モジュールから出力された該ＰＤＵをサービスデータ単位（ＳＤＵ）に再構成し、その後、アクセスポイントを介して上位階層にそれらを伝送する、再構成モジュールと
を備える、受信装置。
【請求項１１】
前記複数のチャネルのうちの前記少なくとも１つは、ＤＴＣＨ、ＤＣＣＨ、ＣＣＣＨまたはＳＨＣＣＨのうちの少なくとも１つであり、前記暗号化されたＰＤＵは伝送側から受けられ、前記アクセスポイントはＵＭ−ＳＡＰである、請求項１０に記載の受信装置。
【請求項１２】
前記データ格納モジュールに格納された前記ヘッダーに付加される前記ＰＤＵに関連したデータの再伝送を制御するデータ再伝送モジュールをさらに備えた、請求項１０に記載の受信装置。
【請求項１３】
前記複数のチャネルのうちの前記少なくとも１つは、ＤＣＣＨまたはＤＴＣＨのうちの少なくとも１つであり、前記アクセスポイントはＡＭ−ＳＡＰである、請求項１２に記載の受信装置。
【請求項１４】
前記復号化モジュールは復号化ブロックと、前記下位階層から受けた制御ＰＤＵをＲＬＣ制御モジュールに伝送し、かつ、データＰＤＵを該復号化ブロックに伝送するデマルチプレックス／ルーティングブロックを含む、請求項１３に記載の受信装置。
【請求項１５】
前記デマルチプレックス／ルーティングブロックは前記ＰＤＵ内のＤ／Ｃフィールドをチェックして、該ＰＤＵが制御ＰＤＵであるか、またはデータＰＤＵであるかを判別する、請求項１４に記載の受信装置。
【請求項１６】
前記ヘッダ除去モジュールは、前記データＰＤＵからピギーバック情報を抽出する、請求項１５に記載のデータ受信装置。
【請求項１７】
無線リンク制御（ＲＬＣ）階層に無線リンク制御エンティティを有する無線通信システムの送信装置であって、
上位階層からアクセスポイントを介して受けたサービスデータ単位（ＳＤＵ）を格納するデータ格納モジュールと、
少なくとも１つのプロトコルデータ単位（ＰＤＵ）を形成するために、前記データ格納モジュールから出力されたＳＤＵをセグメント化および／または連続化させるセグメント化および／または連続化モジュールと、
前記セグメント化および／または連続化されたＳＤＵに該少なくとも１つのＰＤＵのシーケンスナンバー（ＳＮ）を含む少なくとも１つのヘッダを付加して、プロトコルデータ単位（ＰＤＵ）を形成するヘッダ付加モジュールと、
該無線リンク制御エンティティの最終段階で、前記データ格納モジュールから伝送された少なくとも１つのＰＤＵを暗号化して、複数の伝送チャネルのうちの少なくとも１つを介して下位階層に伝送する、暗号化モジュールと
を備える、送信装置。
【請求項１８】
前記アクセスポイントはＵＭ−ＳＡＰであり、前記結果は、受信側に対応する前記無線通信システムの無線リンク制御エンティティに伝送され、前記複数のチャネルのうちの少なくとも１つはＤＴＣＨ、ＤＣＣＨ、ＣＣＣＨ、ＳＨＣＣＨ、またはＣＴＣＨのうちの少なくとも１つである、請求項１７に記載の送信装置。
【請求項１９】
無線リンク制御（ＲＬＣ）階層に無線リンク制御エンティティを有する無線通信システムにおいてデータを伝送するための方法であって、
上位階層からアクセスポイントを介して受けたサービスデータ単位（ＳＤＵ）をセグメント化および／または連続化させるステップと、
シーケンスナンバー（ＳＮ）を含む少なくとも１つのヘッダを該セグメント化および／または連続化されたＳＤＵに付加して、該少なくとも１つのＰＤＵを形成するステップと、
該少なくとも１つのヘッダが付加された該少なくとも１つのＰＤＵをデータ格納モジュールに格納するステップと、
該無線リンク制御エンティティの最終段階で、該データ格納モジュールから伝達された少なくとも１つのＰＤＵを暗号化するステップと、
該暗号化されたＰＤＵを複数の伝送チャネルのうちの少なくとも１つを介して下位階層に伝送するステップと
を包含する、方法。
【請求項２０】
前記アクセスポイントはＵＭ−ＳＡＰであり、前記結果は、受信側に対応する前記無線通信システムの無線リンク制御エンティティに伝送され、前記複数のチャネルのうちの少なくとも１つはＤＴＣＨ、ＤＣＣＨ、ＣＣＣＨ、ＳＨＣＣＨ、またはＣＴＣＨのうちの少なくとも１つである、請求項１９に記載の方法。
【請求項２１】
前記少なくとも１つのヘッダが付加された前記少なくとも１つのＰＤＵを再伝送するために格納するステップをさらに包含する、請求項１９に記載の方法。
【請求項２２】
前記ヘッダが付加された前記ＰＤＵおよび再伝送のために格納されているＰＤＵをマルチプレキシングするステップと、それらを前記データ格納モジュールに伝送するステップとをさらに包含する、請求項２１に記載の方法。
【請求項２３】
前記暗号化ステップの前に、前記少なくとも１つのＰＤＵにある前記少なくとも１つのヘッダの少なくとも１つのフィールドをセッティングするステップをさらに包含する、請求項２１に記載の方法。
【請求項２４】
無線リンク制御階層に無線リンク制御エンティティを有する無線通信システムにおいてデータを受信するための方法であって、
前記無線リンク制御エンティティの最初段階で、受信装置の下位階層から複数のチャネルのうちの少なくとも１つを介して受けた無線リンク制御階層の暗号化されたプロトコルデータ単位（ＰＤＵ）を復号化するステップと、
該復号化されたＰＤＵをデータ格納バッファに格納するステップと、
該ＰＤＵから該ＰＤＵのシーケンスナンバー（ＳＮ）を含むヘッダを除去するステップと、
該ヘッダが除去された該ＰＤＵをサービスデータ単位（ＳＤＵ）に再構成するステップと、
アクセスポイントを介して上位階層に該再構成されたＳＤＵを伝送するステップと
を包含する、方法。
【請求項２５】
前記複数のチャネルのうちの前記少なくとも１つは、ＤＴＣＨ、ＤＣＣＨ、ＣＣＣＨ、ＳＨＣＣＨ、またはＣＴＣＨのうちの少なくとも１つであり、前記暗号化されたＰＤＵは伝送側から送信され、前記アクセスポイントはＵＭ−ＳＡＰである、請求項２４に記載の方法。
【請求項２６】
前記ヘッダを除去するステップにおいて除去された前記ヘッダデータ
を判読するステップをさらに包含する、請求項２４に記載の方法。
【請求項２７】
前記復号化するステップは、ＲＬＣ制御モジュールに制御ＰＤＵを伝送するステップと、データＰＤＵのみを復号化するステップとを含む、請求項２６に記載の方法。
【請求項２８】
前記複数のチャネルのうちの少なくとも１つは、少なくとも１つのＤＣＣＨおよびＤＴＣＨであり、前記アクセスポイントはＡＭ−ＳＡＰである、請求項２４に記載の方法。
【請求項２９】
前記少なくとも１つのＰＤＵは、前記少なくとも１つのヘッダおよびデータを備え、該少なくとも１つのヘッダはさらに、オプション的な長さインジケータを含む、請求項１に記載の送信装置。
【請求項３０】
前記ＳＮを暗号化することは、前記暗号化モジュールでは行われない請求項２９に記載の送信装置。
【請求項３１】
前記ＳＮは、前記暗号化モジュールによって暗号化されない、請求項１に記載の送信装置。
【請求項３２】
前記暗号化されたＰＤＵは、ヘッダおよびデータを備え、該ヘッダはさらに、シーケンスナンバーおよびオプション的な長さインジケータを含む、請求項１０に記載の受信装置。
【請求項３３】
前記シーケンスナンバーは、暗号化されず、前記データおよび前記オプション的な長さインジケータは、暗号化される、請求項３２に記載の受信装置。
【請求項３４】
前記少なくとも１つのＰＤＵは、前記少なくとも１つのヘッダおよびデータを備え、該少なくとも１つのヘッダはさらに、オプション的な長さインジケータを含む、請求項１７に記載の送信装置。
【請求項３５】
前記ＳＮを暗号化することは、前記暗号化モジュールでは行われない請求項３４に記載の送信装置。
【請求項３６】
前記少なくとも１つのＰＤＵは、前記少なくとも１つのヘッダおよびデータを備え、該少なくとも１つのヘッダはさらに、オプション的な長さインジケータを含む、請求項１９に記載の方法。
【請求項３７】
前記ＳＮの暗号化は、前記暗号化ステップ中には行われない、請求項３６に記載の方法。
【請求項３８】
前記暗号化されたＰＤＵは、ヘッダおよびデータを備え、該ヘッダはさらに、シーケンスナンバーおよびオプション的な長さインジケータを含む、請求項２４に記載の方法。
【請求項３９】
前記シーケンスナンバーは、暗号化されず、前記データおよび前記オプション的な長さインジケータは、暗号化される、請求項３８に記載の方法。
【発明の詳細な説明】
【０００１】
【発明の属する技術分野】
本発明はラジオリンクコントロール（ＲＬＣ）階層を有する無線通信システム及びこの無線通信システムでデータを処理する方法に関する。
【０００２】
【従来の技術】
近来は、マルチメディアの時空的な制約のないアクセスを許容する通信技術の研究や、その研究の可視的成果を望む努力が活発に行われている。
【０００３】
このような現実から見て、デジタルデータ処理及び伝送技術の発達は、有線無線通信を統合し、人工衛星を用いた実時間グローバルデータ通信システムの実現を目前にしている。
【０００４】
また、このようなデジタルデータの処理や伝送技術の発達に覆って、既存の音声通話は勿論、ネットワーク基盤の静止画像、動画のリアルタイム伝送が可能となり、有線無線に関わらず、どこでも自由な情報のアクセスを可能としており、ＩＭＴ−２０００はその一つになるだろう。
【０００５】
本発明におけるラジオリンクコントロール（ＲＬＣ）階層は３ＧＰＰの第２階層であって、データリンクを制御するプロトコル階層としてＯＳＩ７階層モデルの第２階層に当たり、現在３ＧＰＰで用いられるＲＬＣエンティティの種類として、ＲＬＣヘッダが付いてないＴｒモード（Ｔｒａｎｓｐａｒｅｎｔ  Ｍｏｄｅ）と、ヘッダが付いてあるＮＴｒモード（Ｎｏｎ−ｔｒａｎｓｐａｒｅｎｔ  Ｍｏｄｅ）との二つに分けられる。
【０００６】
従って、結局、現在使用されているＲＬＣのモードは、Ｔｒ、ＵＭ、ＡＭの３つがあり、そのうちＡＭエンティティの構造が図１に示されている。
【０００７】
図１を参照すると、送信端のＡＭエンティティ（Ｔｒａｎｓｍｉｔｔｉｎｇ  Ｓｉｄｅ）では、上位階層から下降するサービスデータユニット（ＳＤＵ）を一定の大きさのプロトコルデータユニット（ＰＤＵ）に作るために、ブロック１０１を介してセグメンテーション及び連続化を行い、ブロック１０２を介して前記ＰＤＵにシーケンスナンバー（ＳＮ）を含むヘッダをつける。
【０００８】
前記ヘッダが付加されたＰＤＵは下へ伝送されると同時に、以後の再伝送のために再送信バッファ１０３に格納する。次いで、マルチプレクサー１０４を経て下降した前記ＰＤＵは、データの保護のために、ブロック１０５を介して暗号化の過程を経て、一旦送信バッファ１０６に格納された後、フィールドセッティングブロック１０７へ伝送される。
【０００９】
前記フィールドセッティングブロック１０７では、ＲＬＣヘッダのシーケンスナンバーＳＮを除いた他のフィールド（Ｄ／Ｃ及びポールフィールドなど）を適正値でセッティングして、受信側に当たる他のＡＭエンティティに向けて伝送する。
【００１０】
このように、前記上位階層から下降したデータを載せたＰＤＵをＡＭＤ（ＡＭデータ）ＰＤＵと云い、その構造は図２に示されている。
【００１１】
ここで、前記ＡＭＤ  ＰＤＵのフォーマットは、図２に示すように、ヘッダとＬＩグループ（Ｌｅｎｇｔｈ  Ｉｎｄｉｃａｔｏｒ  ｇｒｏｕｐ）、データ、ＰＡＤ又はピギーバックタイプの状態ＰＤＵからなる。
【００１２】
前記ヘッダは各ＡＭＤ  ＰＤＵの順序番号を示すフィールドのシーケンスナンバー、該ＡＭＤ  ＰＤＵがデータ情報を載せているか、あるいはコントロール情報を載せているかを知らせる１ビットのＤ／Ｃフィールド、受信側に状態リポートを要求する１ビットのポーリングフィールド（Ｐフィールド）、次のフィールドがデータであるか、それともＬＩとＥビットであるかを知らせる２ビットのＨＥフィールド、そして、その次のフィールドがデータであるか、それともＬＩとＥビットであるかを知らせるためのＥフィールド１ビットを含んで構成される。
【００１３】
前記ＡＭＤ  ＰＤＵでＬＩ部分はＬＩとＥビットから構成されるが、ＬＩはそのＰＤＵが複数個のＳＤＵを含む場合、各ＳＤＵの境界を示すフィールドである。
【００１４】
各ＬＩはデータ部分の最初のオクテットから各ＳＤＵの最後のオクテットまでのオクテットの数を示し、一ＰＤＵに含まれたＳＤＵに対する各々のＬＩをＬＩグループという。
【００１５】
前記データ部分は上位階層から下降したＳＤＵに当たるフィールドとして、一つ又は複数個のＳＤＵを含み、このようなデータ部分はその大きさが可変的であって、全体ＰＤＵのサイズをオクテット−アラインするためにパッディングを行う。
【００１６】
上述の暗号化は前記ＡＭＤ  ＰＤＵに対して行われるが、このとき、ヘッダ部分の最初の二つのオクテット（シーケンスナンバーを含む部分）は暗号化されず、その後の部分のみ暗号化される。
【００１７】
前記ＡＭエンティティには前記ＡＭＤ  ＰＤＵの他にも、コントロール情報を載せたコントロールＰＤＵも存在する。そのコントロールＰＤＵは状態情報を載せた状態ＰＤＵ、ＡＭエンティティのリセットのためのリセットＰＤＵ、そして、前記リセットＰＤＵのアクノレッジ（ＡＣＫ）を知らせるためのリセットアクノレッジＰＤＵを含む。
【００１８】
これらは各々図３と図４に示されている。
【００１９】
前記コントロールＰＤＵは、前記ＲＬＣコントロールユニットで生成され、暗号化を経ず直ぐにフィールドセッティングブロックへ伝送され、ここで、Ｄ／Ｃ及びＰＤＵタイプフィールドをセッティングした後、受信側に当たるＲＬＣ  ＡＭエンティティへ伝送される。
【００２０】
即ち、前記フィールドセッティングブロック１０７では、前記ＡＭＤ  ＰＤＵに対してはＤ／Ｃフィールを１にセッティングし、前記コントロールＰＤＵに対しては０にセッティングする。もし、前記ＡＭＤ  ＰＤＵにデータが全部満たされず、空所がある場合はパッディングを行う。
【００２１】
前記フィールドセッティングブロック１０７では、前記ＡＭＤ  ＰＤＵにこのようなＰＡＤがある時には、データ伝送の効率を高めるために、状態ＰＤＵをＰＡＤの代わりに満たして伝送することができ、この時の状態ＰＤＵをピギーバック状態ＰＤＵという。
【００２２】
上述したように、前記送信側に当たるＲＬＣ  ＡＭエンティティから伝送された前記ＡＭエンティティのＰＤＵを受けた受信側に当たるＲＬＣ  ＡＭエンティティは、次のように前記ＡＭＤ  ＰＤＵを処理する。
【００２３】
まず、デマルチプレックス／ルーティング部１０８では前記Ｄ／Ｃフィールドを確認する。前記Ｄ／Ｃフィールドを確認した結果、前記Ｄ／Ｃフィールド値が０であれば、０は前記コントロールＰＤＵに当たるので、前記コントロールＰＤＵは直ぐにＲＬＣコントロールユニット１００へ送り上げ、前記Ｄ／Ｃフィールド値が１であれば、１は前記ＡＭＤＰＤＵに当たるので、前記ＡＭＤ  ＰＤＵは前記受信バッファ１０９へ送り上げられる。
【００２４】
前記ＲＬＣ  ＡＭエンティティは、一つのラジオベアラセットアップに対して一つ又は二つの論理的チャネルを使用することができる。
【００２５】
図１で実線は一つの論理的チャネルを使用した場合を、点線は二つの論理的チャネルを使用した場合を例示する。
【００２６】
図１に示すように、二つの論理的チャネルを使用した時は、データチャネルとコントロールチャネルが定められているため、前記ＡＭＤ  ＰＤＵは直ぐに前記受信バッファ１０９へ伝送され、コントロールＰＤＵはデマルチプレックス／ルーティング部１０８を経てＲＬＣコントロールユニット１００へ伝送される。
【００２７】
前記受信バッファ１０９では、各ＰＤＵの受信状態を確認して、受信していないＡＭＤ  ＰＵＤがある時は前記送信端へＮＡＣＫ信号を送り、前記受信していないＡＭＤ  ＰＤＵに対して再伝送を要求する。
【００２８】
前記受信バッファ１０９に格納されたＰＤＵは、一つの完全なＳＤＵを構成するＰＤＵが全て受信されるまで格納されてから、該ＰＤＵの受信が全部終わると、これらをＳＤＵ単位で送り上げる。
【００２９】
その後、これらは復号化部１１０で復号化され、ブロック１１１では各ＰＤＵからＲＬＣヘッダとピギーバック情報が除去され、データのみが抽出される。従って、前記ブロック１１１を介して前記純粋データのみでＳＤＵが構成される。
【００３０】
次いで、前記ＳＤＵはリアセンブリ部１１２を経て上位階層へ送り上げられる。
【００３１】
ところが、上記の従来技術によれば、前記ＡＭＤ  ＰＤＵを伝送することにおいて次のような問題点を有する。
【００３２】
まず、前記送信端において、前記ピギーバック状態のＰＤＵを伝送するためには、前記フィールドセッティングブロックで前記ＡＭＤ  ＰＤＵ内に前記ピギーバック状態のＰＤＵが入るＰＡＤがあるか否かを検査し、前記ＡＭＤ  ＰＤＵに前記ピギーバック状態ＰＤＵが入るＰＡＤがある場合に、前記ＰＡＤを前記ピギーバック状態ＰＤＵに置換すべきである。
【００３３】
一方、前記ＡＭＤ  ＰＤＵは既に暗号化されているので、前記ＰＡＤがあるか否か、および前記ＰＡＤの正確な位置を知るためには、前記フィールドセッティングブロックで前記暗号化したＡＭＤ  ＰＤＵを再び復号化しなければならない。
【００３４】
また、前記ＡＭＤ  ＰＤＵを伝送するためには、前記暗号化したＡＭＤ  ＰＤＵを再び暗号化すべきであって、結局、前記フィールドセッティングブロックでは不必要に復号化及び暗号化を行わなければならない短所がある。
【００３５】
尚、上述したように、前記受信側に当たるＲＬＣ  ＡＭエンティティは、前記受信バッファから前記上位階層に前記ＰＤＵを送り上げるとき、ＳＤＵ単位で行うべきである。このとき、前記受信バッファに格納されている前記ＰＤＵは、既に送信端によって全て暗号化されている状態であるので、一ＰＤＵがあるＳＤＵに属するかを知るためには、必ず前記ＰＤＵを復号化しなければならない。
【００３６】
従って、前記受信バッファでも不必要に前記ＰＤＵを復号化するための機能が必要となるという短所がある。
【００３７】
上述したように、暗号化及び復号化の繰り返しは、前記ＡＭＤ  ＰＤＵデータの処理速度および効率を減じるような原因となり、ひいては、システムの性能を低下させる要因となる。
【００３８】
また、前記ＲＬＣの機能のうち、バッファのオーバーフローを防止するために用いられるＳＤＵディスカード機能がある。
【００３９】
この機能を使用する場合、前記送信バッファ及び前記受信バッファでディスカードするＳＤＵに当たるＰＤＵを全てディスカードすべきであるが、前記送信バッファ及び前記受信バッファ共に暗号化されたＰＤＵが格納されているので、前記ＳＤＵをディスカードするためには、前記送信バッファ及び受信バッファ共に復号化の機能が必要であるという短所がある。
【００４０】
図５は従来ＲＬＣ  ＵＭエンティティの構成を示すダイアグラムである。
【００４１】
図５に示すように、送信側に当たるＲＬＣ  ＵＭエンティティのブロック１２２は、ＵＭ−ＳＡＰを経て上位階層から下降するサービスデータユニットＳＤＵを一定の大きさのプロトコルデータユニットに作るために、セグメンテーション及び連続化を行う。
【００４２】
次いで、暗号化部１２３はデータの保護のために前記ＰＤＵを暗号化する。
【００４３】
次いで、ＲＬＣヘッダ部１２４は前記ＰＤＵにシーケンスナンバーを含むヘッダを付け、ＵＭＤ  ＰＤＵを構成する。
【００４４】
送信バッファ１２５は前記ＵＭＤ  ＰＤＵを格納してから、受信側に当たるＲＬＣ  ＵＭエンティティへ伝送する。
【００４５】
一方、前記ラジオリンクコントロール階層内には、前記受信側でＰＤＵを受信するとき、前記送信側へのアクノレッジ信号が必要ない場合に用いられるＵＭＤＰＤＵと、前記アクノレッジ信号が必要な場合に用いられるＡＭＤ  ＰＤＵが存在する。
【００４６】
図６に示すように、前記ＵＭＤ  ＰＤＵのフォーマットは、ヘッダとＬＩ部分、データ、ＰＡＤからなっている。前記ヘッダは各ＰＤＵの順番を示すフィールドのシーケンスナンバーと、次のフィールドがデータであるかそれとも前記ＬＩ部分であるか、又は拡張ビットであるかを知らせるための１ビットのＥ（Ｅｘｔｅｎｓｉｏｎ）フィールドビットからなっている。
【００４７】
前記データ部分は前記上位階層から下降した前記ＳＤＵに当たるフィールドとして、一つ又は複数個のＳＤＵを含む。この種のデータ部分はその大きさが可変的であるから、全体のＰＤＵサイズをオクテット−アラインするためにパッディングを行う。
【００４８】
前記ＵＭＤ  ＰＤＵは前記ＡＭＤ  ＰＤＵと同様に、ＬＩ部分はＬＩとＥビットとから構成されるが、ＬＩはそのＰＤＵが複数個のＳＤＵを含む場合、各ＳＤＵの境界を示すフィールドである。各ＬＩはデータ部分の最初のオクテットから各ＳＤＵの最後のオクテットまでのオクテットの数を示し、一ＰＤＵに含まれたＳＤＵに対する各々のＬＩをＬＩグループという。
【００４９】
上述したように、前記ＵＭＤ  ＰＤＵの構造は図６と同様であり、その中で、最初のオクテットはシーケンスナンバーＳＮを含むヘッダであり、このヘッダ部分は暗号化されず、その以下の部分のみ暗号化される。
【００５０】
前記伝送されたＵＭＤ  ＰＤＵを受信したＲＬＣ  ＵＭエンティティは、一旦これを受信バッファ１３０に格納して置き、一つの完全なＳＤＵを構成するＰＤＵの受信が全て終わると、前記格納したＰＤＵをＳＤＵ単位でブロック１２９へ伝送する。
【００５１】
次いで、前記ＰＤＵの前記ヘッダは前記ブロック１２９から除去され、前記ＰＤＵは復号化部１２８を介して復号化される。前記復号化したＰＤＵはＳＤＵ単位で再びリアセンブリ部１２６を経て上位階層へ伝送される。
【００５２】
前記従来ＲＬＣ  ＵＭエンティティを用いて前記ＵＭＤ  ＰＤＵを伝送することにおいて、次のような問題点がある。
【００５３】
上述したように、受信バッファから上位階層へＰＤＵを送り上げるとき、ＳＤＵ単位で行うが、受信バッファに格納されているＰＤＵは全て暗号化されている状態である。一方、一ＰＤＵがあるＳＤＵに属するかを知るためには、復号化を行わなければならない。
【００５４】
従って、受信バッファに不必要に復号化の機能が必要となる短所があった。
【００５５】
また、ＲＬＣ  ＵＭエンティティの機能中、バッファのオーバーフローを防止するために用いるＳＤＵディスカードファンクションがある。このディスカードファンクションを使用する場合、伝送及び受信バッファでディスカードするＳＤＵに当たるＰＤＵを全てディスカードしなければならない。
【００５６】
結局、二つのバッファには共に暗号化したＰＤＵが格納されているので、ＳＤＵをディスカードするためには、送信バッファ及び受信バッファ共に復号化機能が必要となるという短所がある。
【００５７】
【発明が解決しようとする課題】
本発明の目的は、ＰＤＵの送信及び受信を更に効率よく行うことのできるＲＬＣエンティティ無線通信システムを提供することにある。
【００５８】
本発明の他の目的は、ＲＬＣエンティティでＰＤＵを迅速に処理できる、ＲＬＣエンティティを有する無線通信システムでデータを処理する方法を提供することにある。
【００５９】
【課題を解決するための手段】
本発明による無線リンク制御階層を有する無線通信システムのデータ送信装置は、上位階層からサービスデータ単位を受けて、無線リンク制御階層のプロトコルデータ単位に再構成する送信データ再構成モジュールと、前記送信データ再構成モジュールで再構成された前記プロトコルデータ単位に前記無線リンク制御階層のヘッダを付加するヘッダ付加モジュールと、前記ヘッダ付加モジュールで前記ヘッダが付加された前記プロトコルデータ単位を送信するために格納する送信データ格納モジュールと、前記送信データ格納モジュールに格納された前記ヘッダが付加されたプロトコルデータ単位を暗号化して、下位階層へ伝達する暗号化モジュールとを含み、それにより上記目的が達成される。
【００６０】
本発明の１つの局面によれば、前記ＳＤＵは、前記上位階層からＵＭ−ＳＡＰを介して前記送信モジュールへ伝送され、前記暗号化したＰＤＵは、前記送信モジュールからチャネルＤＣＴＨ、ＤＣＣＨ、ＣＣＣＨ、ＳＨＣＣＨ、ＣＴＣＨを介して受信側に当たる無線通信システムのＲＬＣエンティティに向けて伝送されることを特徴とする上記に記載の無線リンク制御階層を有する無線通信システムのデータ送信装置である。
【００６１】
本発明の１つの局面によれば、前記送信データ再構成モジュールは、前記上位階層から伝送された前記ＳＤＵをセグメンテーション及び連続化させる、セグメント及び連続化モジュールを含むことを特徴とする上記に記載の無線リンク制御階層を有する無線通信システムのデータ送信装置である。
【００６２】
本発明の１つの局面によれば、前記ヘッダは前記ＲＬＣのシーケンスナンバー（ＳＮ）を含むことを特徴とする上記に記載の無線リンク制御階層を有する無線通信システムのデータ送信装置である。
【００６３】
本発明の１つの局面によれば、前記ヘッダ付加モジュールで前記ヘッダが付加された前記プロトコルデータ単位を再伝送のために格納し、再伝送を制御するデータ再伝送制御モジュールを更に含むことを特徴とする上記に記載の無線リンク制御階層を有する無線通信システムのデータ送信装置である。
【００６４】
本発明の１つの局面によれば、前記ヘッダ付加モジュール及び前記データ再伝送モジュールの出力信号のうちいずれか一つを前記送信データ格納モジュールに出力させるマルチプレクサーを更に備えることを特徴とする上記に記載の無線リンク制御階層を有する無線通信システムのデータ送信装置である。
【００６５】
無線リンク制御階層を有する無線通信システムのデータ送信装置は、前記送信データ格納モジュールに格納された前記ヘッダが付加されたプロトコルデータ単位に前記ヘッダのフィールドをセッティングして、前記暗号化モジュールへ伝達するヘッダフィールドセッティングモジュールを更に含むことを特徴とする。
【００６６】
本発明の１つの局面によれば、前記ＳＤＵは、前記上位階層からアクノレッジモード（ＡＭ）−ＳＡＰを介して前記送信モジュールへ伝送され、前記暗号化したＰＤＵは、前記送信モジュールからチャネルＤＣＴＨ、ＤＣＣＨ、ＣＣＣＨ、ＳＨＣＣＨ、ＣＴＣＨを介して受信側に当たる無線通信システムのＲＬＣエンティティに向けて伝送されることを特徴とする上記に記載の無線リンク制御階層を有する無線通信システムのデータ送信装置である。
【００６７】
本発明の１つの局面によれば、前記暗号化モジュールは、暗号化を行う前に前記ＰＤＵのヘッダ内のＤ／Ｃフィールドを検査し、前記Ｄ／Ｃフィールド値に応じて、ピギーバック状態のＰＤＵを含む一般のＰＤＵに対してのみ暗号化を行い、コントロールＰＤＰに対しては暗号化を行えず、ＲＬＣ制御モジュールへ伝送することを特徴とする上記に記載の無線リンク制御階層を有する無線通信システムのデータ送信装置である。
【００６８】
本発明の１つの局面によれば、前記暗号化モジュールは、前記ＰＤＵをチェックして、前記ＰＤＵ内にＰＡＤが存在すると、前記ＰＤＵをピギーバック状態のＰＤＵに対置することを特徴とする上記に記載の無線リンク制御階層を有する無線通信システムのデータ送信装置である。
【００６９】
本発明による無線リンク制御階層を有する無線通信システムのデータ受信装置は、下位階層を介して送信側から伝達された暗号化した無線リンク制御階層のプロトコルデータ単位を復号化する復号化モジュールと、前記復号化モジュールで復号した前記プロトコルデータ単位を受信のために格納する受信データ格納モジュールと、前記受信データ格納モジュールに格納された前記プロトコルデータ単位に付加されている前記無線リンク制御階層のヘッダを除去するヘッダ除去モジュールと、前記ヘッダ除去モジュールから前記ヘッダが除去された前記無線リンク制御階層の前記プロトコルデータ単位を、上位階層へ伝達するサービスデータ単位に再構成してから、前記上位階層へ伝達する受信データ再構成モジュールとを含み、それにより上記目的が達成される。
【００７０】
本発明の１つの局面によれば、前記送信側から前記暗号化されたＰＤＵは、チャネルＤＣＣＨ、ＤＴＣＨ、ＣＣＣＨ、ＳＨＣＣＨ、そして、ＣＴＣＨを介して前記データ受信装置へ入り、そして、前記リアセンブリングされたＳＤＵは非アクノレッジモード（ＵＭ）−ＳＡＰを介して前記上位階層へ伝送されることを特徴とする上記に記載の無線リンク制御階層を有する無線通信システムのデータ受信装置である。
【００７１】
本発明の１つの局面によれば、前記ヘッダは前記ＲＬＣ階層のシーケンスナンバーを含むことを特徴とする上記に記載の無線リンク制御階層を有する無線通信システムのデータ受信装置である。
【００７２】
無線リンク制御階層を有する無線通信システムのデータ受信装置は、前記受信データ格納モジュールに格納された前記ヘッダが付加された前記プロトコルデータ単位と連関したデータの再伝送を制御するデータ再伝送制御モジュールを更に備えることを特徴とする。
【００７３】
無線リンク制御階層を有する無線通信システムのデータ受信装置は、前記ヘッダ除去モジュールから除去される前記ヘッダの情報を判読するヘッダ情報判読モジュールを更に備えることを特徴とする。
【００７４】
本発明の１つの局面によれば、前記復号化モジュールは、前記送信側から伝送された前記暗号化したプロトコルデータ単位（ＰＤＵ）のうち、制御ＰＤＵはＲＬＣ制御モジュールへ伝送し、アクノレッジ（ＡＭＤ）ＰＤＵのみを復号化することを特徴とする上記に記載の無線リンク制御階層を有する無線通信システムのデータ受信装置である。
【００７５】
本発明の１つの局面によれば、前記暗号化モジュールは、暗号化を行う前に、前記アクノレッジ（ＡＭＤ）ＰＤＵに含まれた前記ヘッダ内のＤ／Ｃフィールドの検査を行い、前記Ｄ／Ｃフィールド値に応じて、ピギーバック状態のＰＤＵを含む前記アクノレッジ（ＡＭＤ）ＰＤＵに対してのみ暗号化を行い、コントロールＰＤＵに対しては暗号化を行えずに前記ＲＬＣ制御モジュールへ伝送することを特徴とする上記に記載の無線リンク制御階層を有する無線通信システムのデータ受信装置である。
【００７６】
本発明の１つの局面によれば、前記暗号化したＰＤＵは、前記チャネルＤＣＣＨ及びＤＴＣＨを介して前記データ受信装置へ入り、そして、前記リアセンブリングされたＳＤＵは、前記アクノレッジモード（ＡＭ）−ＳＡＰを介して前記上位階層へ伝送されることを特徴とする上記に記載の無線リンク制御階層を有する無線通信システムのデータ受信装置である。
【００７７】
本発明の１つの局面によれば、前記復号化モジュールは、復号化ブロックと、前記送信側から受信した前記アクノレッジ（ＡＭＤ）ＰＤＵのうちコントロールＰＤＵとはＲＬＣ制御モジュールへ伝送し、前記受信したアクノレッジ（ＡＭＤ）ＰＤＵは復号化ブロックへ伝送するデマルチプレックス／ラウティングブロックを含むことを特徴とする上記に記載の無線リンク制御階層を有する無線通信システムのデータ受信装置である。
【００７８】
本発明の１つの局面によれば、前記デマルチプレックス／ルーティングブロックは、前記アクノレッジ（ＡＭＤ）ＰＤＵ内に位置したＤ／Ｃフィールドの検査を通じて、前記伝送したアクノレッジ（ＡＭＤ）ＰＤＵが前記コントロールＰＤＵであるか、あるいは前記アクノレッジ（ＡＭＤ）ＰＤＵであるかを判別することを特徴とする上記に記載の無線リンク制御階層を有する無線通信システムのデータ受信装置である。
【００７９】
本発明の１つの局面によれば、前記ヘッダ除去モジュールは前記受信データ格納モジュールから伝送された前記アクノレッジ（ＡＭＤ）ＰＤＵから、前記ＲＬＣ階層のヘッダは勿論、ピギーバック情報を除去することを特徴とする上記に記載の無線リンク制御階層を有する無線通信システムのデータ受信装置である。
【００８０】
本発明による無線リンク階層を有する無線通信システムのデータ送信装置は、上位階層からサービスデータ単位を受けて、送信のために格納する送信データ格納モジュールと、前記格納したサービスデータ単位を前記無線リンク制御階層のプロトコルデータ単位に再構成する送信データ再構成モジュールと、前記送信データ再構成モジュールで再構成された前記プロトコルデータ単位に前記無線リンク制御階層のヘッダを付加するヘッダ付加モジュールと、前記ヘッダが付加されたプロトコルデータ単位を暗号化して下位階層へ伝達する暗号化モジュールとを含み、それにより上記目的が達成される。
【００８１】
本発明の１つの局面によれば、前記ＳＤＵは前記上位階層からＵＭ−ＳＡＰを介して前記送信モジュールへ伝送され、前記暗号化したＰＤＵは前記通信モジュールからチャネルＤＣＴＨ、ＤＣＣＨ、ＣＣＣＨ、ＳＨＣＣＨ、ＣＴＣＨを介して受信側に当たる無線通信システムのＲＬＣエンティティに向けて伝送されることを特徴とする上記に記載の無線リンク制御階層を有する無線通信システムのデータ送信装置である。
【００８２】
本発明の１つの局面によれば、前記送信データ再構成モジュールは前記上位階層から伝送された前記ＳＤＵをセグメンテーション及び連続化させるセグメント及び連続化モジュールを含むことを特徴とする上記に記載の無線リンク制御階層を有する無線通信システムのデータ送信装置である。
【００８３】
本発明の１つの局面によれば、前記ヘッダは前記ＲＬＣのシーケンスナンバー（ＳＮ）を含むことを特徴とする上記に記載の無線リンク制御階層を有する無線通信システムのデータ送信装置である。
【００８４】
無線リンク制御階層を有する無線通信システムのデータ送信装置は、前記ヘッダ付加モジュールで前記ヘッダが付加された前記プロトコルデータ単位を再伝送のために格納し、再伝送を制御するデータ再伝送制御モジュールを更に含むことを特徴とする。
【００８５】
無線リンク制御階層を有する無線通信システムのデータ送信装置は、前記ヘッダ付加モジュール及び前記データ再伝送モジュールの出力信号のうちいずれか一つを前記送信データ格納モジュールへ出力させるマルチプレクサーを更に備えることを特徴とする。
【００８６】
無線リンク制御階層を有する無線通信システムのデータ送信装置は、前記送信データ格納モジュールに格納された前記ヘッダが付加されたプロトコルデータ単位に前記ヘッダのフィールドをセッティングして、前記暗号化モジュールへ伝達するヘッダフィールドセッティングモジュールを更に含むことを特徴とする。
【００８７】
本発明の１つの局面によれば、前記ＳＤＵは前記上位階層からアクノレッジモード（ＡＭ）−ＳＡＰを介して前記送信モジュールへ伝送され、前記暗号化したＰＤＵは前記送信モジュールからチャネルＤＣＴＨ、ＤＣＣＨ、ＣＣＣＨ、ＳＨＣＣＨ、ＣＴＣＨを介して受信側に当たる無線通信システムのＲＬＣエンティティに向けて伝送されることを特徴とする上記に記載の無線リンク制御階層を有する無線通信システムのデータ送信装置である。
【００８８】
本発明の１つの局面によれば、前記暗号化モジュールは、暗号化を行う前に前記ＰＤＵのヘッダ内のＤ／Ｃフィールドを検査し、前記Ｄ／Ｃフィールドの値に応じて、ピギーバック状態のＰＤＵを含む一般ＰＤＵに対してのみ暗号化を行い、コントロールＰＤＵに対しては暗号化を行えず、ＲＬＣ制御モジュールへ伝送することを特徴とする上記に記載の無線リンク制御階層を有する無線通信システムのデータ送信装置である。
【００８９】
本発明の１つの局面によれば、前記暗号化モジュールは、前記ＰＤＵをチェックして、前記ＰＤＵ内にＰＡＤが存在すると、前記ＰＤＵをピギーバック状態のＰＤＵに対置することを特徴とする上記に記載の無線リンク制御階層を有する無線通信システムのデータ送信装置である。
【００９０】
本発明による無線リンク制御階層を有する無線通信システムでデータを送信する方法は、上位階層から伝送されたサービスデータ単位を受け、無線リンク制御階層のプロトコルデータ単位に再構成するステップと、前記プロトコルデータ単位に前記無線リンク制御階層のヘッダを付加するステップと、前記ヘッダが付加された前記プロトコルデータ単位を、送信のために送信データ格納用バッファに格納するステップと、前記送信データ格納用バッファに格納した前記ヘッダが付加されたプロトコルデータ単位を暗号化するステップと、前記暗号化したプロトコルデータ単位を下位階層へ伝達するステップとを備え、それにより上記目的が達成される。
【００９１】
本発明の１つの局面によれば、前記ＳＤＵは前記上位階層からＵＭ−ＳＡＰを介して入り、前記暗号化したＰＤＵはチャネルＤＣＴＨ、ＤＣＣＨ、ＣＣＣＨ、ＳＨＣＣＨ、ＣＴＣＨを介して受信側へ伝送されることを特徴とする上記に記載の無線リンク制御階層を有する無線通信システムでデータを送信する方法である。
【００９２】
本発明の１つの局面によれば、前記サービスデータ単位を前記プロトコルデータ単位に再構成するステップは、前記上位階層から伝送された前記ＳＤＵをセグメンテーション及び連続化させるステップを含むことを特徴とする上記に記載の無線リンク制御階層を有する無線通信システムでデータを送信する方法である。
【００９３】
無線リンク制御階層を有する無線通信システムでデータを送信する方法は、前記ヘッダが付加された前記プロトコルデータ単位を再伝送のために格納し、前記格納したプロトコルデータ単位の再伝送を制御するステップを更に備えることを特徴とする。
【００９４】
無線リンク制御階層を有する無線通信システムでデータを送信する方法は、前記ヘッダが付加されたプロトコルデータ単位と、前記再伝送のために格納した前記プロトコルデータ単位とをマルチプレクシングして、前記送信データ格納用バッファに提供するステップが更に備えられることを特徴とする。
【００９５】
無線リンク制御階層を有する無線通信システムでデータを送信する方法は、前記暗号化の前に、前記ヘッダが付加されたプロトコルデータ単位に前記ヘッダのフィールドをセッティングするステップを更に備えることを特徴とする。
【００９６】
無線リンク制御階層を有する無線通信システムでデータを受信する方法は、下位階層を介して送信側から伝達された暗号化した無線リンク制御階層のプロトコルデータ単位を復号化するステップと、前記復号化した前記プロトコルデータ単位を受信のために格納する受信データ格納用バッファに格納するステップと、前記受信データ格納モジュールに格納した前記プロトコルデータ単位に付加されている前記無線リンク制御階層のヘッダを除去するステップと、前記ヘッダが除去された前記無線リンク制御階層の前記プロトコルデータ単位を、上位階層へ伝達するサービスデータ単位に再構成するステップと、前記再構成したサービスデータ単位を上位階層へ伝達するステップとを備え、それにより上記目的が達成される。
【００９７】
本発明の１つの局面によれば、前記送信側から伝送された前記暗号化したＰＤＵはチャネルＤＣＣＨ、ＤＴＣＨ、ＣＣＣＨ、ＳＨＣＣＨ、そして、ＣＴＣＨを介してデータ受信装置へ入り、そして、前記リアセンブリングしたＳＤＵは、非アクノレッジモード（ＵＭ）−ＳＡＰを介して前記上位階層へ伝送されることを特徴とする上記に記載の無線リンク制御階層を有する無線通信システムでデータを受信する方法である。
【００９８】
無線リンク制御階層を有する無線通信システムでデータを受信する方法は、前記ヘッダが付加された前記プロトコルデータ単位と連関したデータの再伝送を制御するステップを更に備えることを特徴とする。
【００９９】
無線リンク制御階層を有する無線通信システムでデータを受信する方法は、前記ヘッダ除去モジュールで除去される前記ヘッダの情報を判読するステップを更に備えることを特徴とする。
【０１００】
本発明の１つの局面によれば、前記復号化ステップは前記送信側から伝送された前記暗号化したプロトコルデータ単位（ＰＤＵ）のうち、制御ＰＤＵはＲＬＣ制御モジュールへ伝送し、アクノレッジ（ＡＭＤ）ＰＤＵのみを復号化することを特徴とする上記に記載の無線リンク制御階層を有する無線通信システムでデータを受信する方法である。
【０１０１】
本発明の１つの局面によれば、前記暗号化ステップは、前記暗号化を行う前に前記アクノレッジ（ＡＭＤ）ＰＤＵに含まれた前記ヘッダ内のＤ／Ｃフィールドを検査し、そのＤ／Ｃフィールド値に応じて、ピギーバック状態のＰＤＵを含む前記アクノレッジ（ＡＭＤ）ＰＤＵに対してのみ暗号化を行い、コントロールＰＤＵに対しては暗号化を行えず、ＲＬＣ制御モジュールへ伝送することを特徴とする上記に記載の無線リンク制御階層を有する無線通信システムでデータを受信する方法である。
【０１０２】
本発明の１つの局面によれば、前記暗号化したＰＤＵは前記チャネルＤＣＣＨ及びＤＴＣＨを介して前記データ受信装置へ入り、そして、前記リアセンブリングしたＳＤＵは前記アクノレッジモード（ＡＭ）−ＳＡＰを介して前記上位階層へ伝送されることを特徴とする上記に記載の無線リンク制御階層を有する無線通信システムでデータを受信する方法である。
【０１０３】
上記目的を達成するために、本発明によるＲＬＣエンティティを有する無線通信システムのデータ送信装置は、暗号化段階を送信バッファ以後に位置した最終処理段階として行う。一方、前記ＲＬＣエンティティを有する無線通信システムのデータ受信装置は、復号化の段階を受信バッファ以前の最初の処理段階として行う。
【０１０４】
前記本発明によるＲＬＣエンティティはＲＬＣＡＭエンティティ及びＲＬＣ  ＵＭエンティティを含む。
【０１０５】
上記目的を達成するための本発明の一形態によれば、データ送信装置は第１上位階層から伝送されたＳＤＵをＰＤＵへ変換する第１データ処理モジュール、前記変換したＰＤＵを格納する送信データ格納モジュール、前記送信データ格納モジュールに格納した前記ＰＤＵを暗号化させ、第２ＲＬＣエンティティへ伝送する暗号化モジュールを有する。データ受信装置は、第１ＲＬＣエンティティから伝送された暗号化したＰＤＵを受信して復号化させる復号化モジュール、前記復号化したＰＤＵを格納する受信データ格納モジュール、そして、前記受信データ格納モジュールに格納された前記ＰＤＵをＳＤＵ単位でリアセンブリングしてから、第２上位階層へ伝送する第２データ処理モジュールを含む。
【０１０６】
上記目的を達成するための本発明の他の形態によれば、送信バッファを有するＲＬＣエンティティにおいて、第１上位階層から下降するＳＤＵを一定の大きさのＰＤＵに作るステップと、前記ＰＤＵを送信バッファに格納してから、前記ＰＤＵ単位で暗号化させるステップとが備えられる。
【０１０７】
一方、受信バッファを有するＲＬＣエンティティにおいて、前記暗号化したＰＤＵを受信側に当たる第２ＲＬＣエンティティへ伝送するステップと、送信側に当たる第１ＲＬＣエンティティから受信されるＰＤＵを受信して復号化するステップと、前記復号化したＰＤＵを前記受信バッファに格納するステップと、前記受信バッファに格納されたＰＤＵをリアセンブリングしてから、第２上位階層へ伝送するステップとを備えていることを特徴とする。
【０１０８】
【発明の実施の形態】
（第１の実施形態）
以下に、本発明の第１の実施形態を添付の図７ａ及び図７ｂを参照して詳細に説明する。
【０１０９】
本発明の主要な特徴によれば、データ送信装置のうち、送信データ再構成モジュールは上位階層からサービスデータ単位を受けて、無線リンク制御階層のプロトコルデータ単位に再構成する。
【０１１０】
ヘッダ付加モジュールは、前記送信データ再構成モジュールで再構成された前記プロトコルデータ単位に前記無線リンク制御階層のヘッダを付加する。
【０１１１】
送信データ格納モジュールは、前記ヘッダ付加モジュールで前記ヘッダが付加された前記プロトコルデータ単位を送信するために格納する。
【０１１２】
そして、暗号化モジュールは、前記送信データ格納モジュールに格納された前記ヘッダが付加されたプロトコルデータ単位を暗号化して、下位階層へ伝達する。
【０１１３】
本発明の他の主要な特徴によれば、データ受信装置のうち復号化モジュールは、下位階層を介して送信側から伝達された暗号化した無線リンク制御階層のプロトコルデータ単位を復号化する。
【０１１４】
データ格納モジュールは、前記復号化モジュールで復号した前記プロトコルデータ単位を受信するために格納する。
【０１１５】
ヘッダ除去モジュールは、前記受信データ格納モジュールに格納された前記プロトコルデータ単位に付加されている前記無線リンク制御階層のヘッダを除去する。
【０１１６】
そして、受信データ再構成モジュールは、前記ヘッダ除去モジュールから前記ヘッダが除去された前記無線リンク制御階層の前記プロトコルデータ単位を、上位階層へ伝達するサービスデータ単位に再構成してから、前記上位階層へ伝達する。
【０１１７】
前記第１の実施形態はＲＬＣ  ＡＭエンティティに関するもので、図７ａ及び図７ｂは前記ＲＬＣ  ＡＭエンティティの構成を示すダイアグラムである。
【０１１８】
図７ａによれば、前記第１実施形態はＲＬＣ  ＡＭエンティティは大きく送信モジュール２１０、受信モジュール２２０、そして、ＲＬＣ制御モジュール２３０から構成される。
【０１１９】
図７ａによれば、送信側に当たる前記ＲＬＣ  ＡＭエンティティの伝送モジュール２１０は、ＡＭ−ＳＡＰ２０７を介して上位階層から伝送されたＳＤＵをＰＤＵに変換する第１のデータ処理モジュール２０１、前記ＡＭＤ  ＰＤＵを格納する送信データ格納モジュール（又は送信バッファ）２０２、そして、前記送信バッファ２０２に格納された前記ＰＤＵをＲＬＣ制御モジュール２３０の制御下に所定のフィールドでセッティングしてから、暗号化させる暗号化モジュール２０３を含む。前記暗号化したＰＤＵは、チャネルＤＴＣＨ及びＤＣＣＨを介して受信側に当たるＲＬＣ  ＡＭエンティティに向けて伝送される。
【０１２０】
一方、図７ａによれば、前記ラジオリンクコントロールＲＬＣ  ＡＭエンティティの受信モジュール２２０は、前記送信側に当たるＲＬＣ  ＡＭエンティティからチャネルＤＣＣＨ及びＤＴＣＨを介して伝送された、暗号化したＡＭ用ＰＤＵのうち、制御ＰＤＵは前記ＲＬＣ制御モジュール２３０へ伝送し、ＡＭＤ  ＰＤＵのみを復号化する復号化モジュール２０４、前記復号化したＡＭＤ  ＰＤＵを格納する受信データ格納モジュール（又は受信バッファ２０５）、そして、前記受信データ格納モジュール（又は受信バッファ）２０５に格納された前記ＡＭＤ  ＰＤＵをＳＤＵ単位でリアセンブリングしてから、前記ＡＭ−ＳＡＰ２０７を介して前記上位階層へ伝送する第２のデータ処理モジュール２０６を含む。
【０１２１】
好ましくは、前記ラジオリンクコントロールＲＬＣアクノレッジモードＡＭ用エンティティで、前記送信バッファ２０２は前記データを前記ＳＤＵ単位で処理する。
【０１２２】
好ましくは、前記ラジオリンクコントロールＲＬＣアクノレッジモードＡＭ用エンティティの前記暗号化モジュール２０３は、前記ＰＤＵが暗号化する前にＤ／Ｃフィールドを検査する。前記Ｄ／Ｃフィールド検査に従って、前記ＰＤＵのうちコントロールＰＤＵは暗号化されず、ＡＭＤ  ＰＤＵのみ暗号化される。
【０１２３】
好ましくは、前記ラジオリンクコントロールＲＬＣアクノレッジモードＡＭ用エンティティで前記ＡＭＤ  ＰＤＵがピギーバック状態ＰＤＵを含む場合、前記ピギーバック状態のＰＤＵは暗号化され、状態ＰＤＵは暗号化されずに伝送される。
【０１２４】
好ましくは、前記ラジオリンクコントロールＲＬＣのアクノレッジモードＡＭ用エンティティの前記受信バッファにはＳＤＵ単位で前記データを処理する。
【０１２５】
図７ｂは図７ａの詳細構成を示すブロックダイアグラムである。
【０１２６】
図７ｂによれば、前記ラジオリンクコントロールＲＬＣのアクノレッジモードＡＭ用エンティティの前記送信モジュール２１０は、上位階層から下降するＳＤＵをセグメンテーション及び連続化させるセグメント化及び連続化モジュール２１１、前記セグメンテーション及び連続化したＳＤＵにシーケンスナンバーＳＮを含むヘッダを付加することにより、ＰＤＵを形成するＲＬＣヘッダモジュール２１２、前記ヘッダが付加されたＰＤＵを再送信及び管理のために格納する再送信バッファ及び管理モジュール２１３、前記ＲＬＣヘッダモジュール２１２及び前記再送信バッファ及び管理モジュール２１３の出力信号のうち、何れか一つを出力させるマルチプレクサー（又は多重化モジュール）２１４、前記マルチプレクサー２１４から出力された前記ＰＤＵを暗号化されてない状態で格納する送信バッファ（又は格納モジュール）２１５、Ｄ／Ｃフィールドを始め、他のフィールドを適正値にセッティングするフィールドセッティングブロック（又はフィールドセッティングモジュール）２１６、そして、前記フィールドセッティングブロック２１６から出力された前記ＰＤＵを暗号化させてから、前記暗号化したＰＤＵを受信側に向けて伝送する暗号化モジュール２１７を備える。
【０１２７】
好ましくは、前記暗号化モジュール２１７は前記暗号化を行う前に前記ＡＭＤＰＤＵのヘッダＤ／Ｃフィールドを検査し、前記Ｄ／Ｃフィールド値に応じて、ピギーバック状態のＰＤＵを含むＡＭＤ  ＰＤＵに対してのみ暗号化を行い、コントロールＰＤＵに対しては暗号化を行わない。
【０１２８】
好ましくは、前記暗号化モジュール２１７は前記ＡＭＤ  ＰＤＵをチェックして、前記ＡＭＤ  ＰＤＵ内にＰＡＤが存在すると、前記ＡＭＤ  ＰＤＵをピギーバック状態のＰＤＵに置換する。
【０１２９】
図７ｂによれば、前記ＲＬＣ  ＡＭエンティティの受信モジュール２２０は、他のエンティティの送信モジュール２１０から受信したＰＤＵのうち、コントロールＰＤＵは前記ＲＬＣコントロールユニット２３０へ伝送し、前記受信したＰＤＵのうち、ＡＭＤ  ＰＤＵは復号化モジュール２２２へ伝送するデマルチプレックス／ルーティングモジュール２２１、前記ＡＭＤ  ＰＤＵを復号化する復号化モジュール２２２、前記復号化したＡＭＤ  ＰＤＵを格納し、ＳＤＵ単位で前記格納したＰＤＵを出力する受信バッファ２２３、前記ＳＤＵ単位で受信した前記ＰＤＵから前記ＲＬＣヘッダと前記ピギーバック情報を除去するヘッダ及びピギーバック情報除去モジュール２２４、そして、前記データのみから構成された前記ＳＤＵをリアセンブリしてから、上位階層へ伝送するリアセンブリモジュール２２５で構成されている。
【０１３０】
好ましくは、前記受信モジュール２２０の前記デマルチプレックス／ルーティングモジュール２２１は、前記Ｄ／Ｃフィールドの検査を通じて、前記伝送されたＰＤＵが前記コントロールＰＤＵであるか、あるいは前記ＡＭＤ  ＰＤＵであるかを判別する。
【０１３１】
好ましくは、前記受信バッファ２２３は、前記格納したＰＤＵを前記ＳＤＵ単位で前記上位階層へ伝送する。
【０１３２】
上述のように、前記第１の実施形態は、従来の暗号化及び復号化の問題を解決するための新たなＲＬＣＡＭ用のエンティティを示す。
【０１３３】
前記第１の実施形態によるＲＬＣ  ＡＭエンティティの構造によれば、前記エンティティの送信モジュール２１０は、前記暗号化ステップを前記フィールドセッティングブロックの後に最終ステージとして行い、前記エンティティの受信モジュール２２０は前記復号化ステップを前記受信バッファの前に最初のステージとして行う。
【０１３４】
以下に、前記第１の実施形態によるＲＬＣ  ＡＭ用エンティティで前記ＡＭＤＰＤＵを処理する過程を図７ａ及び図７ｂを参照して詳述する。
【０１３５】
まず、図７ａ及び図７ｂに示すように、前記ＲＬＣ  ＡＭエンティティとして一つの論理チャネル又は二つの論理チャネルが適用され得る。
【０１３６】
前記二つの論理チャネルが適用される場合において、ＵＴＲＡＮは、第１の論理チャネルがデータＰＤＵのために使用され、第２の論理チャネルが制御ＰＤＵのために使用され得るように指示できる。その指示が前記ＵＴＲＡＮから与えられない場合、前記データ及び制御ＰＤＵは前記二つのチャネルのいずれかによっても送られ得る。
【０１３７】
前記論理チャネルマッピングの指示はＲＲＣによりシグナリングされる。
【０１３８】
前記送信モジュール２１０を調べると、前記上位階層から下降するＳＤＵはセグメンテーション及び連続化モジュール２１１を介してセグメント化され且つ連結される。即ち、前記ＳＤＵは固定した長さのＰＤＵを形成するために、セグメント化され連結される。前記ＰＤＵの長さはベアラセットアップ内で決定され、但し、ＲＲＣによる無線ベアラ再構成によって変更が可能なセミ−スタティック値である。
【０１３９】
次いで、前記ＳＤＵは前記ＲＬＣヘッダモジュール２１２に入力され、ここで、シーケンスナンバーＳＮを含むヘッダが前記ＳＤＵに付加されることによりＰＤＵが形成される。前記ヘッダが付加された前記ＰＤＵは直ちにマルチプレクサー２１４へ伝送されると共に、前記再送信バッファ及び管理モジュール２１３に格納される。
【０１４０】
連結化及びパッディング目的のために、前記長さインジケーターと拡張子に関する情報のビットは、ＳＤＵ境界の発生時ごとに、その境界の属したＰＤＵのスタート部分に挿入される。
【０１４１】
前記マルチプレクサー２１４は、前記ＲＬＣヘッダモジュール２１２と前記再送信バッファ及び管理モジュール２１３の出力信号のうち何れかを出力させる。
【０１４２】
即ち、前記マルチプレクサー２１４はどのＰＤＵを選択するかを決定し、また、前記ＰＤＵがいつ前記ＭＡＣへ伝送されるのかを決定する。前記ＰＤＵは前記ＲＬＣ  ＰＤＵヘッダを完了し、前記パッディングを前記ピギーバック状態情報を有して置換する機能を経て伝送される。
【０１４３】
前記マルチプレクサー２１４を経て伝送した前記ＰＤＵは、暗号化されてない状態で前記送信バッファ２１５に格納され、その送信バッファ２１５に格納した前記ＰＤＵは、続いて前記フィールドセッティングブロック２１６へ伝送される。
【０１４４】
前記フィールドセッティングブロック２１６では、前記Ｄ／Ｃフィールドを始め、他のフィールドを適正値でセッティングし、前記ＡＭＤ  ＰＤＵをチェックして、前記ＡＭＤ  ＰＤＵ内にＰＡＤがあれば、上述のように前記ＡＭＤ  ＰＤＵをピギーバック状態のＰＤＵに置換する。
【０１４５】
一方、前記暗号化モジュール２１７は、前記フィールドセッティングブロック２１６から出力された前記ＡＭＤ  ＰＤＵを暗号化してから、前記暗号化したＡＭＤ  ＰＤＵを前記受信側に当たるまた他のＲＬＣ  ＡＭエンティティに向いて伝送する。
【０１４６】
このとき、前記暗号化を行う前に前記ＡＭＤ  ＰＤＵのヘッダＤ／Ｃフィールドを検査して、前記Ｄ／Ｃフィールド値に従って、前記ピギーバック状態のＰＤＵを含む前記ＡＭＤ  ＰＤＵに対してのみ前記暗号化を行い、ステータス、リセット、リセットアクノレッジＰＤＵのような前記コントロールＰＤＵに対しては前記暗号化を行わない。
【０１４７】
前記ピギーバックメカニズムの適用時、前記パッティングは伝送の効率を高め、前記ピア対ピアエンティティの間でより迅速なメッセージ交換を可能にするために、前記制御情報によって置換される。前記ピギーバック制御情報は再伝送バッファによってセーブされることはない。
【０１４８】
前記ピギーバック制御情報は前記ピギーバックされた状態ＰＤＵ内に含まれ、それは続いて前記ＡＭＤ  ＰＤＵ内に含まれる。前記ピギーバックされた状態ＰＤＵは前記ＡＭＤ  ＰＤＵ内の自由空間の総量と一致するために、可変のサイズを有する。
【０１４９】
前記再伝送バッファ２１３は前記受信側からアクノレッジ信号を受信し、前記ＰＤＵの再伝送を指示し且つ、いつ前記再伝送バッファ２１３からのＰＤＵを削除するかを指示するために用いられる。
【０１５０】
次いで、前記受信モジュールを説明すると、前記受信モジュールは前記ＭＡＣサブ層から前記論理チャネルのうち何れか一つを介して前記ＡＭＤ  ＰＤＵを受信する。
【０１５１】
前記ＲＬＣ  ＰＤＵは分離されたＰＤＵへ拡張され、潜在ピギーバック状態の情報は抽出される。前記ＰＤＵは完全なＳＤＵが受信されるまで前記受信バッファ２０５内に位置する。前記受信バッファ２０５は前記ピアエンティティ（又は送信側に当たるＲＬＣエンティティ）にネガティブアクノレッジ信号を送ることにより該ＰＤＵの再伝送を要求する。
【０１５２】
即ち、また他のエンティティの送信モジュール２１０から、上述の過程を経て前記ＰＤＵが受信されると、前記受信モジュール２１０の前記デマルチプレックス／ルーティングモジュール２２１は、前記Ｄ／Ｃフィールドの検査を通じて、前記伝送されたＰＤＵが前記コントロールＰＤＵであるか、あるいは前記ＡＭＤＰＤＵであるかを判別する。
【０１５３】
前記デマルチプレックス／ルーティングモジュール２２１は、前記受信したＰＤＵが前記コントロールＰＤＵであればその受信したＰＤＵを前記ＲＬＣコントロールモジュール２３０へ伝送し、前記受信したＰＤＵが前記ＡＭＤ  ＰＤＵであれば、それらを前記復号化モジュール２２２へ伝送する。
【０１５４】
ここで、前記復号化したＡＭＤ  ＰＤＵは前記受信バッファ及び再伝送管理モジュール２２３へ格納される。前記受信バッファ及び再伝送管理モジュール２２３は前記受信したＰＤＵを前記ＳＤＵ単位で上位モジュールへ伝送する。
【０１５５】
即ち、前記ヘッダ及びピギーバック情報除去モジュール２２４は、前記ＳＤＵ単位で受信された前記ＰＤＵから前記ＲＬＣヘッダと前記ピギーバック情報を除去することにより、純粋データのみで構成された前記ＳＤＵを構成する。
【０１５６】
前記ヘッダが前記ＰＤＵから除去され、前記ＰＤＵが一つのＳＤＵにリアセンブリングされた後に、前記ＳＤＵは前記上位階層へ伝送される。
【０１５７】
即ち、前記リアセンブリングモジュール２２５は前記純粋データのみから構成された前記ＰＤＵを前記ＳＤＵにリアセンブリしてから、前記ＡＭ−ＳＡＰ２０７を介して前記上位階層へ伝送する。
【０１５８】
一方、前記アクノレッジ信号は前記送信側に当たるＲＬＣエンティティの送信モジュールにパスされる。
【０１５９】
上述のように、本発明のＡＭエンティティは前記送信モジュールの前記最終ステージで前記ＰＤＵの暗号化が行われ、前記受信モジュールの前記初期ステージで前記ＰＤＵが復号化される。従って、前記送信バッファと前記受信バッファには前記ＰＤＵが暗号化されてない状態で格納される。従って、前記送信バッファと前記受信バッファは、前記ＰＤＵの格納時に復号化の機能が必要ない。
【０１６０】
前記送信バッファ、前記フィールドセッティングブロック、そして、前記受信バッファで暗号化及び復号化の機能が必要ないことから、前記ＲＬＣ階層で前記ＰＤＵを処理する時間を短縮させることができる。
【０１６１】
また、処理し難い前記ピギーバック状態ＰＤＵを本発明では簡単に処理することができる。
【０１６２】
また、前記受信バッファには暗号化されない、即ち、復号化したＰＤＵが格納されているので、前記ＳＤＵ単位で処理する前記ＲＬＣの他の機能を十分に活用できるようになる。従って、前記ＲＬＣでのデータ処理速度が増加し、前記ＡＭエンティティは更に安定的な動作が可能となる。
【０１６３】
また、前記ＰＤＵの暗号化時に前記Ｄ／Ｃフィールドを検査することにより、前記コントロールＰＤＵは暗号化されず、前記ＡＭＤ  ＰＤＵのみを暗号化するから、前記ＰＤＵの処理時間を短縮することができる。
【０１６４】
（第２の実施形態）
以下に、図８ａ及び図８ｂを参照して本発明の第２の実施形態によるラジオリンクコントロール（ＲＬＣ）用の非アクノレッジモード（ＵＭ：Ｕｎａｃｋｎｏｗｌｅｄｇｅｄ  Ｍｏｄｅ）エンティティ及びその動作を説明する。
【０１６５】
図８ａは本発明の第２の実施形態によるＲＬＣ  ＵＭエンティティの構成を示すダイアグラムである。図８ｂは本発明の第２の実施形態によるＲＬＣ  ＵＭエンティティの詳細構成を示すダイアグラムである。
【０１６６】
図８ａ及び図８ｂに示すＲＬＣ  ＵＭエンティティの特徴は、暗号化段階を送信バッファの次に行う送信モジュール、そして、復号化段階を受信バッファの前段階で行う受信モジュールを含むということにある。
【０１６７】
図８ａのＲＬＣ  ＵＭエンティティの送信モジュール３１０は上位階層から下降するＳＤＵを送信可能なＰＤＵに変換する第１のデータ処理モジュール３０１、前記ＰＤＵを格納する送信データ格納モジュール（又は送信バッファ３０２）、そして、前記送信データ格納モジュール３０２に格納された前記ＰＤＵを暗号化し、受信側に当たるＲＬＣ  ＵＭエンティティへ伝送する暗号化モジュール３０３を含む。
【０１６８】
図８ａのＲＬＣ  ＵＭエンティティの受信モジュール３２０は、伝送側に当たるＲＬＣＵＭエンティティから伝送されたＰＤＵを復号化する復号化モジュール３０４、前記復号化したＰＤＵを格納する受信データ格納モジュール（又は受信バッファ３０５）、そして、前記受信データ格納モジュール３０５に格納されたＰＤＵをＳＤＵ単位でＵＭ−ＳＡＰ３０７を介して上位階層へ伝送する第２のデータ処理モジュール３０６を含む。
【０１６９】
まず、前記ＵＭエンティティの送信モジュール３１０を説明すると、受信信号処理モジュールは上位階層から下降するＳＤＵをＰＤＵより構成し、前記ＰＤＵにヘッダを付加する。送信バッファは前記ＵＭＤ  ＰＤＵを格納する。暗号化モジュールは前記送信バッファに格納された前記ＵＭＤ  ＰＤＵを暗号化する。
【０１７０】
前記暗号化したＵＭＤ  ＰＤＵはチャネルＣＣＣＨ、ＤＣＣＨ、ＤＴＣＨ、ＳＨＣＣＨ、そして、ＣＴＣＨを介して受信側に当たる他のＵＭモードエンティティに向けて伝送する。ここで、前記ＲＬＣエンティティは前記ＵＭＤ  ＰＤＵを前記チャネルを介してＭＡＣへ伝達する。前記チャネルＣＣＣＨ及びＳＨＣＣＨは前記非アクノレッジモードＵＭＤに使用されるが、但し、ダウンリンクにのみ使用される。
【０１７１】
前記チャネルのうちどのチャネルが使用され得るかは、前記上位階層が制御平面内に位置するか又はユーザ平面内に位置するかによる。
【０１７２】
即ち、前記制御平面に前記上位階層が位置すると、前記チャネルＣＣＣＨ、ＤＣＣＨ、ＳＨＣＣＨが使用され、前記ユーザ平面に前記上位階層が位置すると、前記チャネルＣＴＣＨ、ＤＴＣＨが使用される。
【０１７３】
一方、前記送信バッファでは前記ＳＤＵ単位でデータを処理する。
【０１７４】
一方、前記ラジオリンクコントロールＲＬＣ用の非アクノレッジモードＵＭエンティティの受信モジュールを説明すると、まず、送信側に当たる他のＵＭモードエンティティから、前記論理チャネルのうちいずれかを介して暗号化したＵＭＤ  ＰＤＵが受信されると、復号部３３５は前記受信したＵＭＤ  ＰＤＵを復号化し、受信バッファ３３７は前記復号化したＵＭＤ  ＰＤＵを格納する。
【０１７５】
ＲＬＣヘッダ除去部３３６は前記受信バッファ３３７に格納された前記ＵＭＤＰＤＵからＲＬＣヘッダを除去する。リアセンブリング部３３８は前記ＲＬＣヘッダ除去部３３６から出力される前記ＵＭＤ  ＰＤＵを前記ＲＬＣ  ＳＤＵにリアセンブリングし、そのリアセンブリングしたＵＭＤ−ＳＤＵを前記ＵＭ−ＳＡＰを経て上位階層へ伝送する。
【０１７６】
また、前記ラジオリンクコントロールＲＬＣ用非アクノレッジモードＵＭエンティティの上記受信バッファは前記ＳＤＵ単位でデータを処理する。
【０１７７】
図８ｂは図８ａの詳細構成ブロック図である。
【０１７８】
図８ｂによれば、前記送信モジュール３１０は前記上位階層から前記ＵＭ−ＳＡＰ３０７を介して伝送された前記ＳＤＵをセグメンテーション及び連続化させるセグメント及び連続化モジュール３３１、前記セグメント及び連続化モジュール３３１から出力されるセグメントデータにＲＬＣシーケンスナンバーＳＮを含むヘッダを付けることにより、ＰＤＵを形成するＲＬＣヘッダモジュール３３２、前記ＰＤＵを格納する送信データ格納モジュール（又は伝送バッファ）３３３、そして、前記送信データ格納モジュール３３３に格納された前記ＰＤＵを暗号化し、受信側に当たるＲＬＣ  ＵＭエンティティへ伝送する暗号化モジュール３３４を含む。
【０１７９】
図８ｂで前記セグメント及び連続化モジュール３３１、そして、前記ＲＬＣヘッダモジュール３３２は図８ａの前記第１のデータ処理モジュール３０１に当たる。
【０１８０】
図８ｂによれば、前記受信モジュール３２０は、伝送側に当たるＲＬＣ  ＵＭエンティティから伝送されたＰＤＵを復号化する復号化モジュール３３５、前記復号化したＰＤＵを格納する受信データ格納モジュール（又は受信バッファ）３３７、前記ＰＤＵから前記ＲＬＣヘッダを除去するＲＬＣヘッダ除去モジュール３３６、そして、前記ＲＬＣヘッダ除去モジュール３３６から出力される前記ＰＤＵをリアセンブルして前記ＳＤＵを作り、前記ＵＭ−ＳＡＰ３０７を介して前記上位階層へ伝送するリアセンブリモジュール３３８を含む。
【０１８１】
図８ｂで前記ＲＬＣヘッダ除去モジュール３３６、そして、前記リアセンブリモジュール３３８は図８ａで前記第２のデータ処理モジュール３０６に当たる。
【０１８２】
以下で、図８ｂを参照して前記第２の実施形態によるＲＬＣ  ＵＭエンティティで前記ＵＭＤ  ＰＤＵを伝送及び受信する一連の過程を説明する。
【０１８３】
前記上位階層から前記ＵＭ−ＳＡＰ３０７を介して伝送される前記ＳＤＵは、前記セグメンテーション及び連続化モジュール３３１でセグメンテーション及び連続化されてから、前記ＲＬＣヘッダモジュール３３２へ入力される。
【０１８４】
前記ＲＬＣヘッダモジュール３３２は、前記セグメンテーション及び連続化モジュール３３１からの前記セグメントデータにシーケンスナンバーＳＮを含むヘッダを付け、前記ＰＤＵを形成する。
【０１８５】
前記送信バッファ３３３は前記格納したＰＤＵを格納し、前記ＰＤＵ単位で出力する。一方、前記暗号化モジュール３３４は前記送信バッファ３３３に格納された前記ＰＤＵを暗号化し、その暗号化したＰＤＵを前記受信側に当たる前記ＲＬＣＵＭエンティティへ伝送する。
【０１８６】
一方、前記受信側に当たるＲＬＣ  ＵＭエンティティの前記復号化モジュール３３５は、前記チャネルを介して伝送された前記ＰＤＵを復号化し、前記受信バッファ３３７は前記復号化したＰＤＵを格納する。前記受信バッファ３３７は前記ＰＤＵを前記ＳＤＵ単位で出力し、その前に、前記ＲＬＣヘッダ除去モジュール３３６は前記ＰＤＵから前記ヘッダを除去する。
【０１８７】
前記リアセンブリモジュール３３８は前記ＲＬＣヘッダ除去モジュール３３６から出力された前記ＰＤＵをリアセンブリして前記ＳＤＵを形成してから、前記ＳＤＵを前記上位階層へ伝送する。
【０１８８】
図８ｃはＵＭモード用ＲＬＣエンティティのまた他の適用例を示すダイアグラムである。図８ｃによれば、図８ａの前記第１のデータ処理モジュール３０１と、前記送信データ格納モジュール３０２との順序が入れ替っている。
【０１８９】
図８ｃによるＲＬＣ  ＵＭエンティティの送信モジュール３１０は、上位階層から下降するＳＤＵを格納する受信データ格納モジュール３０２、その受信データ格納モジュール３０２に格納したＳＤＵをＵＭＤ  ＰＤＵに変換する第１データ処理モジュール３０１、そして、前記送信データ格納モジュール３０２に格納した前記ＵＭＤ  ＰＤＵを暗号化し、受信側に当たるＲＬＣ  ＵＭエンティティへ伝送する暗号化モジュールを含む。
【０１９０】
図８ｄは図８ｃの詳細構成を示すブロックダイアグラムである。
【０１９１】
図８ｄでデータ送信装置は、上位階層からサービスデータ単位を受け、送信のために格納する送信データ格納モジュール３３３、前記格納したサービスデータ単位を前記無線リンク制御階層のプロトコルデータ単位に再構成する、送信データ再構成モジュールとしてのセグメンテーション及び連続化モジュール３３１、前記送信データ再構成モジュールのセグメンテーション及び連続化モジュール３３１で再構成された前記プロトコルデータ単位のＰＤＵに、前記無線リンク制御階層のヘッダを付加するＲＬＣヘッダ付加モジュール３３２、そして、前記ヘッダが付加されたプロトコルデータ単位を暗号化して、下位階層へ伝達する暗号化モジュール３３４から構成されている。図８ｂ及び図８ｄは、前記送信バッファの送信データ格納モジュール３３３と、前記セグメンテーション及び連続化モジュール３３１との位置が互いに取り替えられていることを除いては同様である。
【０１９２】
従って、図８ｄの詳細な説明は省略する。
【０１９３】
以下、受信モジュール３２０は図８ａの構成と同様であるので、その詳細な説明は省略する。
【０１９４】
また、図８ｃで図８ａの場合と同様に、前記ＳＤＵは前記上位階層からＵＭ−ＳＡＰを介して前記送信モジュールへ伝送され、前記暗号化したＰＤＵは前記送信モジュールからチャネルＤＴＣＨ、ＤＣＣＨ、ＣＣＣＨ、ＳＨＣＣＨ、ＣＴＣＨを介して受信側に当たるＲＬＣ  ＵＭエンティティに向けて伝送され、前記送信側に当たるＲＬＣ  ＵＭエンティティから伝送された前記暗号化したＰＤＵは、前記チャネルＤＣＣＨ、ＤＴＣＨ、ＣＣＣＨ、ＣＴＣＨを介して前記受信モジュールへ入り、そして、前記第２のデータ処理モジュールから出力されたＰＤＵは前記ＵＭ−ＳＡＰを介して前記上位階層へ伝送される。
【０１９５】
また、図８ａの場合と同様に、図８ｃで前記第１のデータ処理モジュールは前記送信データ格納モジュールから出力された前記ＳＤＵをセグメンテーション及び連続化させるセグメント及び連続モジュール３３１、そして、前記セグメント及び連続化ブロックから出力されるセグメントデータにＲＬＣシーケンスナンバーＳＮを含むヘッダを付けることにより、ＰＤＵを形成するＲＬＣヘッダモジュール３３２を含む。
【０１９６】
上述のように、前記第２の実施形態による前記ＲＬＣ  ＵＭエンティティは、前記暗号化及び前記復号化の実行段階において、前記送信バッファ３３３には暗号化されてないＳＤＵが、前記受信バッファ３３６には暗号化されてないＰＤＵが格納されるように配置する。
【０１９７】
前記暗号化されてないＳＤＵ又はＰＤＵが前記送信バッファ３３３と前記受信バッファ３３６に格納されるため、前記送信バッファ３３３と前記受信バッファ３３６は復号化の機能が必要ない。
【０１９８】
したがって本発明によれば、ＰＤＵの送受信を更に効率よく行えると共に、ＲＬＣエンティティでＰＤＵを迅速に処理できるようにしたＲＬＣエンティティを有する無線通信システムでデータを処理する方法を提供することができる。
【０１９９】
前記エンティティは送信モジュールと受信モジュールを含む。前記送信モジュールはＡＭ−ＳＡＰ又はＵＭ−ＳＡＰを介して上位階層から伝送されたデータを最終段階で暗号化させる。一方、前記受信モジュールはチャネルを介して、送信側に当たる他のエンティティから受信したデータを最初の段階で復号化する。従って、前記送信バッファと前記受信バッファは、復号機能を使用する必要がなく、更にデータの処理時間を短縮させることができる。
【０２００】
【発明の効果】
本発明の実施形態によるＲＬＣ  ＵＭエンティティは次のような効果を奏する。
【０２０１】
第一に、エンティティの送信モジュールでは最終の処理段階として暗号化段階を備え、受信モジュールでは最初の処理段階として復号化段階を備える。従って、ＰＤＵの送受信を更に効率よく行うことができる。
【０２０２】
第二に、受信バッファには既に復号化されたＰＤＵが格納されるので、ＵＭＤ
ＰＤＵを上位階層に向けてより効率的且つ迅速に伝送することができる。
【０２０３】
第三に、送信バッファと受信バッファは復号化の機能を使用する必要がないので、ＳＤＵディスカードファンクションのようにＳＤＵ単位でデータを処理するＲＬＣの他の機能を使用するとき、データ処理時間を短縮させることができる。
【図面の簡単な説明】
【図１】従来のＲＬＣ  ＡＭエンティティを有する無線通信システムの構成を示す図面。
【図２】ＡＭＤ  ＰＤＵの構造を説明するための図面。
【図３】状態ＰＤＵの構造を説明するための図面。
【図４】リセット及びリセットアクノレッジＰＤＵの構造を説明するための図面。
【図５】従来のＲＬＣ  ＵＭエンティティを有する無線通信システムの構成を示す図面。
【図６】ＵＭＤ  ＰＤＵの構造を説明するための図面。
【図７ａ】本発明の第１の実施形態によるＲＬＣ  ＡＭエンティティの構成を示す図面。
【図７ｂ】図７ａの詳細な構成を示すダイアグラム。
【図８ａ】本発明の第２の実施形態によるＲＬＣ  ＵＭエンティティを有する無線通信システムを示す図面。
【図８ｂ】図８ａの詳細な構成を示すダイアグラム。
【図８ｃ】図８ａの他の適用例を示すダイアグラム。
【図８ｄ】図８ｃの詳細な構成を示すダイアグラム。
【符号の説明】
１００、２３０、３３１  ＲＬＣコントロールユニット
１０１、２１１  セグメント化および連続化モジュール
１０２、２１２、３３２  ＲＬＣヘッダモジュール
１０３、２１３  再送信バッファおよび管理モジュール
１０４、２１４  マルチプレクサー
１０５、２１７、３３４  暗号化モジュール
１０６、２１５、３３３  送信バッファ
１０７、２１６  フィールドセッティングブロック
３３５  復号化モジュール
３３６  ＲＬＣヘッダ除去モジュール
３３７  受信バッファ
３３８  リアセンブリモジュール
【図１】
0004020186.tif 000002
【図２】
0004020186.tif 000003
【図３】
0004020186.tif 000004
【図４】
0004020186.tif 000005
【図５】
0004020186.tif 000006
【図６】
0004020186.tif 000007
【図７ａ】
0004020186.tif 000008
【図７ｂ】
0004020186.tif 000009
【図８ａ】
0004020186.tif 000010
【図８ｂ】
0004020186.tif 000011
【図８ｃ】
0004020186.tif 000012
【図８ｄ】
0004020186.tif 000013